(57)【要約】      （修正有）【課題】胴の縁部や胴に貼られた表皮における、キズや凹みの発生を抑制することが可能な三味線を提供する。【解決手段】三味線の胴１３０の外部に突出した棹１２０の先端部（中子先１２１）に貫通孔を有する固体部材１４０を挿通させ、固体部材１４０に当接して音緒１５０を取り付ける。【選択図】図１
0003210191.tif 000002
【実用新案登録請求の範囲】
【請求項１】
三味線の胴の外部に突出した棹の先端部（中子先）に
貫通孔を有する固体部材を挿通させ、
前記固体部材に当接して音緒を取り付けたことを特徴とする三味線。
【請求項２】
前記胴の上面を形成する平面から
前記固体部材の上面を形成する平面までの垂直方向の距離が、
三味線の駒の高さ方向の大きさと比べて、
略同等または大きいことを特徴とする請求項１に記載の三味線。
【請求項３】
前記固体部材は中空の空間を有することを特徴とする
請求項１又は２に記載の三味線。
【考案の詳細な説明】
【技術分野】
【０００１】  本考案は、三味線に関する。
【背景技術】
【０００２】  従来の三味線は、先端部に位置する天神と、中間部に位置する棹と、後端部に位置する胴から構成されている。音緒は、胴の後端側に突出する中子先に取り付けられている。
天神に取り付けられた３つの糸巻きと、音緒との間に、３本の糸が張られるようになっている。胴の上面に張られた表皮と３本の糸との間に、駒を配置した状態において、３本の糸を撥やピッチで弾くことで演奏がなされる。【０００３】  ところで、従来の三味線は、調弦や演奏を繰り返すうちに、糸や音緒又は糸と音緒の結び目がぶつかり、胴の縁部（角部）や胴に貼られた表皮に、キズや凹みが生じたり糸跡や音緒の結び目の跡が残こってしまうという問題があった。
【先行技術文献】
【特許文献】
【０００４】
【特許文献１】特開２００９−４２３９２
【考案の概要】
【考案が解決しようとする課題】
【０００５】  本考案の目的は、（天神と反対側の）胴の縁部（角部）や胴に貼られた表皮における、キズや凹みの発生を抑制することが可能な三味線を提供することにある。【０００６】  また、三味線を反対向きに置いたり、他の物体にぶつかった場合に、先端部が尖っている駒が、表皮を突き破りキズ付ける現象が生じるが、これを防止する手段も提供する。
【課題を解決するための手段】
【０００７】  上記の目的を達成するため、本考案は、三味線の胴の外部に突出した棹の先端部（中子先）に貫通孔を有する固体部材を挿通させ、前記固体部材に当接して音緒を取り付けたことを特徴とする三味線を提供する。【０００８】  前記胴の上面を形成する平面から前記固体部材の上面を形成する平面までの垂直方向の距離が、三味線の駒の高さ方向の大きさと比べて、略同等または大きいことが好ましい。【０００９】  前記固体部材は中空の空間を有することが好ましい。
【考案の効果】
【００１０】    胴の縁部（角部）や胴に貼られた表皮における、キズや凹みの発生を防止することが可能になる。三味線を反対向きに置いた場合に、不意に圧力が加わると、先端部が尖っている駒が表皮を突き破り、キズ付くことがあるが、駒を糸と固体部材の間に収納することで防ぐことが可能になる。
【図面の簡単な説明】
【００１１】
【図１】本考案の実施形態に係る三味線の斜視図である。
【図２】本考案の実施形態に係る三味線の側面図である。
【図３】本考案の実施形態に係る三味線において、駒を固体部材と糸の間に移動させた状態の側面図である。
【考案を実施するための形態】
【００１２】  図１は、本考案による三味線の構成を説明するための図（斜視図）である。
【００１３】  同図に示すように、本考案による三味線１００は、先端部に位置する天神１１０と、中間部に位置する棹１２０と、後端部に位置する胴１３０と、さらに胴の後端側に隣接して設置された固体部材１４０から構成されている。
固体部材１４０は、胴１２０の後端部から突出する中子先１２１に挿通した状態で取り付けられている。さらに、音緒１５０は、固体部材１４０の後端側に突出する中子先１２１に取り付けられている。
【００１４】  天神１１０に取り付けられた３つの糸巻き１１１と、音緒１５０との間に、３本の糸１６０が張られるようになっている。
胴１３０の上面に張られた表皮１３１と、３本の糸１６０との間に駒１７０を配置した状態において、３本の糸１６０を撥やピッチで弾くことで演奏がなされる。
【００１５】  本実施例では、胴１３０と固体部材１４０との間に緩衝材１８０を挟むことで、胴１３０にキズが付くことを防ぎ、かつ固体部材１４０が回転してしまうことを抑制している。この緩衝材１８０は、クッションゴム、フェルト布、合成樹脂等の素材を利用することも可能である。
【００１６】  図２と図３は、本考案による三味線の側面図である。
図２における駒１７０の配置場所は、演奏時における通常の位置であり、糸１６０と表皮１３１との間にあり、糸１６０に適当な緊張を与える位置にある。
【００１７】  この状態において、糸１６０と胴１３０の後端側の縁部（角部）１３２に非接触な状態にある為、糸１６０によって縁部（角部）１３２にキズを付けたり、跡を残すことが無くなり、縁部（角部）１３２を保護することが出来る。すなわち、音緒駒（経口駒）を挟む必要が無くなり、三味線の付属品を減らすことが可能になる。
【００１８】  一方、図３では、駒１７０は、固体部材１４０と糸１６０との間に仮置きされた状態になっている。
これは、間違って三味線の表皮１３１を下方に向けて置いた場合に、駒１７０が表皮１３１を突き破ってしまう恐れがあるが、駒１７０が固体部材１４０と糸１６０の間にあれば、そのようなリスクを回避することが出来る。
【００１９】  音緒１５０の位置と駒１７０の高さを考慮すると、固体部材の横幅は、５０ｍｍ〜８０ｍｍが好ましい。また、胴の上面を形成する平面から前記固体部材の上面を形成する平面までの垂直方向の距離は５ｍｍ〜１５ｍｍが好ましい大きさである。
【００２０】  固体部材１４０の内部に中空の空間を有することで、スペア用の糸や駒などの付属品を収納することが可能になる。
図示された例では、固体部材１４０は蓋部材を有しているので、格納性能が高くなっている。
【００２１】  固体部材１４０は、鉄・ステンレス・アルミ等の金属、ガラス、合成樹脂、プラスティック、和紙・合成紙など、様々な素材で形成することが可能であり、蓋部材と本体部材が異なる素材でも可能である。
【００２２】  固体部材１４０は、図示された例に制限されず、多角柱や楕円柱などの形状でも可能であり、中空の空間の無い固体部材（単数または複数個の部材）でも可能である。
【００２３】  固体部材１４０の内部に中空の空間を有しているので、この中に適当な重量を持つ物を収納させることで、三味線全体の重量のバランスを調整させることも出来る。
先端部から後端部までの重量バランスを調整することで、安定的に三味線を演奏することが出来るようになる。
【符号の説明】
【００２４】１００  三味線
１１０  天神
１１１  糸巻き
１２０  棹
１２１  中子先
１３０  胴
１３１  表皮
１３２  縁部（角部）
１４０  固体部材
１５０  音緒
１６０  糸
１７０  駒
１８０  緩衝材
【図１】
0003210191.tif 000003
【図２】
0003210191.tif 000004
【図３】
0003210191.tif 000005
【手続補正書】
【提出日】平成29年3月6日(2017.3.6)
【手続補正１】
【補正対象書類名】明細書
【補正対象項目名】００１７
【補正方法】変更
【補正の内容】
【００１７】  この状態において、糸１６０が胴１３０の後端側の縁部（角部）１３２に非接触な状態にある為、糸１６０によって縁部（角部）１３２にキズを付けたり、跡を残すことが無くなり、縁部（角部）１３２を保護することが出来る。すなわち、音緒駒（経口駒）を挟む必要が無くなり、三味線の付属品を減らすことが可能になる。